(57)【要約】【課題】建設機械の管理責任者が正しい暗証番号を入力できない状況に陥った場合でも、迅速に車両を運転することができる盗難防止装置および盗難防止システムを提供する。【解決手段】油圧ショベル１００のメインコントロールユニット１０は、入力部３０から入力された暗証番号と、暗証番号記憶部１５に記憶されている暗証番号を照合し、照合結果が良好ならばエンジン２の始動を許可する。暗証番号記憶部１５に記憶された暗証番号がオペレータにより変更されると、油圧ショベル１００のレンタル業者はエンジン２を始動できなくなる。そこで、時間計測部１２で計測された経過時間が有効期間記憶部１３に記憶されている有効期間を過ぎると、暗証番号記憶部１５に格納されている暗証番号を暗証番号初期値記憶部１４に格納している値に変更する。レンタル業者は、初期値を入力してエンジン２の始動ができる。【選択図】　　　　　図１
2004076644.tif 000002
【特許請求の範囲】
【請求項１】
暗証番号を記憶する記憶手段と、
前記記憶手段に記憶されている暗証番号を変更する変更手段と、
前記記憶手段に記憶されている暗証番号を初期化する初期化手段と、
暗証番号を入力する入力手段と、
前記入力手段から入力された暗証番号と、記憶手段に記憶されている暗証番号との比較を行い、前記入力手段より入力された暗証番号が前記記憶手段に記憶されている暗証番号と一致したと判断すると、車両の運転許可信号を出力し、一致しないと判断すると、車両の運転禁止信号を出力する比較出力手段とを備えることを特徴とする盗難防止装置。
【請求項２】
請求項１に記載の盗難防止装置において、
前記暗証番号の有効期間を記憶する有効期間記憶手段と、
現在の日時を計測する日時計測手段とをさらに備え、
前記初期化手段は、前記日時計測手段で計測された現在の日時が前記有効期間記憶部で記憶している有効期間を経過したときに前記記憶手段に記憶されている暗証番号を初期化することを特徴とする盗難防止装置。
【請求項３】
請求項１または請求項２に記載の盗難防止装置において、
前記初期化手段は、外部から初期化信号を受信したときに前記記憶手段に記憶されている暗証番号を初期化することを特徴とする盗難防止装置。
【請求項４】
請求項３に記載の盗難防止装置において、
外部に無線で盗難防止装置が搭載された移動体を識別するＩＤ番号を送信する送信手段をさらに備え、
前記初期化手段は、前記送信手段から送信された信号に応じて送信された初期化信号を受信すると前記記憶手段に記憶されている暗証番号を初期化することを特徴とする盗難防止装置。
【請求項５】
請求項１〜３のいずれかの項に記載の盗難防止装置において、
初期化信号を送信する送信機を有するスタータキーと、
前記スタータキーから送信された初期化信号を受信する受信部とをさらに備え、
前記初期化手段は、前記受信部で前記初期化信号を受信すると前記記憶手段に記憶されている暗証番号を初期化することを特徴とする盗難防止装置。
【請求項６】
請求項３〜５のいずれかの項に記載の盗難防止装置において、
前記初期化信号には、盗難防止装置が搭載された移動体を識別するＩＤ番号が含まれ、
前記初期化手段は、前記初期化信号に含まれるＩＤ番号が当該盗難防止装置を搭載する移動体自身のものであると判断された場合にのみ、前記記憶手段に記憶されている暗証番号を初期化することを特徴とする盗難防止装置。
【請求項７】
請求項３に記載の盗難防止装置と、
前記盗難防止装置から離れた場所に設置されて、通信回線網を介して前記盗難防止装置と通信を行って初期化信号を送信するセンタサーバとを備えることを特徴とする盗難防止システム。
【請求項８】
請求項４に記載の盗難防止装置と、
前記送信手段が送信するＩＤ番号を受信する受信機と、
前記盗難防止装置から離れた場所に設置されて、前記受信機からＩＤ番号を受信すると、通信回線網を介して前記盗難防止装置と通信を行って初期化信号を送信するセンタサーバとを備えることを特徴とする盗難防止システム。
【請求項９】
請求項１に記載の盗難防止装置において、
前記入力手段から前記暗証番号が所定回数以上入力されたときに、前記初期化手段により前記記憶手段に記憶されている暗証番号を初期化することを特徴とする盗難防止装置。
【発明の詳細な説明】
【０００１】
【発明の属する技術分野】
本発明は、建設機械に用いて好適な、盗難を防止する盗難防止装置および盗難防止システムに関する。
【０００２】
【従来の技術】
盗難防止装置を備えた建設機械として、例えば特許第３２３３５７３号公報に開示されているように、キー入力装置から予め決められた暗証番号が入力されない場合には、エンジン始動操作を行ってもスタータ回路が作動せず、エンジンの始動が禁止されるというものが知られている。また、この暗証番号は、ユーザーが覚えやすいように変更可能なものもある。
【０００３】
【発明が解決しようとする課題】
しかしながら、このような盗難防止装置を備えた建設機械をレンタル会社で使用した場合、借り手が変更した暗証番号が建設機械返却の際にレンタル会社に伝えられないと、レンタル会社では正しい暗証番号を入力できず、エンジン始動処理が煩雑であった。すなわち、建設機械の管理者やサービス会社、メーカー担当者などがわざわざ建設機械の稼働場所まで出向いてエンジン始動する必要があり、迅速な建設機械の始動ができなかった。
【０００４】
本発明の目的は、第三者により暗証番号が変更されて、車両の所有者や管理者などが正しい暗証番号を入力できない状況に陥った場合でも、迅速に車両を運転することができる盗難防止装置および盗難防止システムを提供することにある。
【０００５】
【課題を解決するための手段】
（１）　請求項１の発明による盗難防止装置は、暗証番号を記憶する記憶手段と、記憶手段に記憶されている暗証番号を変更する変更手段と、記憶手段に記憶されている暗証番号を初期化する初期化手段と、暗証番号を入力する入力手段と、入力手段から入力された暗証番号と、記憶手段に記憶されている暗証番号との比較を行い、入力手段より入力された暗証番号が記憶手段に記憶されている暗証番号と一致したと判断すると、車両の運転許可信号を出力し、一致しないと判断すると、車両の運転禁止信号を出力する比較出力手段とを備えることを特徴とする。
（２）　請求項２の発明は、請求項１に記載の盗難防止装置において、暗証番号の有効期間を記憶する有効期間記憶手段と、現在の日時を計測する日時計測手段とをさらに備え、初期化手段は、日時計測手段で計測された現在の日時が有効期間記憶部で記憶している有効期間を経過したときに記憶手段に記憶されている暗証番号を初期化することを特徴とする。
（３）　請求項３の発明は、請求項１または請求項２に記載の盗難防止装置において、初期化手段は、外部から初期化信号を受信したときに記憶手段に記憶されている暗証番号を初期化することを特徴とする。
（４）　請求項４の発明は、請求項３に記載の盗難防止装置において、外部に無線で盗難防止装置が搭載された移動体を識別するＩＤ番号を送信する送信手段をさらに備え、初期化手段は、送信手段から送信された信号に応じて送信された初期化信号を受信すると記憶手段に記憶されている暗証番号を初期化することを特徴とする。
（５）　請求項５の発明は、請求項１〜３のいずれかの項に記載の盗難防止装置において、初期化信号を送信する送信機を有するスタータキーと、スタータキーから送信された初期化信号を受信する受信部とをさらに備え、初期化手段は、受信部で初期化信号を受信すると記憶手段に記憶されている暗証番号を初期化することを特徴とする。
（６）　請求項６の発明は、請求項３〜５のいずれかの項に記載の盗難防止装置において、初期化信号には、盗難防止装置が搭載された移動体を識別するＩＤ番号が含まれ、初期化手段は、初期化信号に含まれるＩＤ番号が当該盗難防止装置を搭載する移動体自身のものであると判断された場合にのみ、記憶手段に記憶されている暗証番号を初期化することを特徴とする。
（７）　請求項７の発明による盗難防止システムは、請求項３に記載の盗難防止装置と、盗難防止装置から離れた場所に設置されて、通信回線網を介して盗難防止装置と通信を行って初期化信号を送信するセンタサーバとを備えることを特徴とする。
（８）　請求項８の発明による盗難防止システムは、請求項４に記載の盗難防止装置と、送信手段が送信するＩＤ番号を受信する受信機と、盗難防止装置から離れた場所に設置されて、受信機からＩＤ番号を受信すると、通信回線網を介して盗難防止装置と通信を行って初期化信号を送信するセンタサーバとを備えることを特徴とする。
（９）　請求項９の発明は、請求項１に記載の盗難防止装置において、入力手段から暗証番号が所定回数以上入力されたときに、初期化手段により記憶手段に記憶されている暗証番号を初期化することを特徴とする。
【０００６】
【発明の実施の形態】
―――第１の実施形態―――
図１〜５により、本発明を油圧ショベルの盗難防止装置に適用した場合の第１の実施の形態を説明する。建設機械の一例として、油圧ショベルを用いて説明を行う。図１は本実施の形態における全体構成図である。本実施の形態では、油圧ショベル１００のエンジン２を始動する際、入力された暗証番号を照合し、照合結果が良好な場合にのみエンジン始動を許可する。本実施の形態においてエンジン２を始動する際に入力する暗証番号は、５桁の数字の組み合わせであり、ユーザー（オペレータ）により自由に変更可能である。そして、外部から特定の信号を受信した場合、もしくは設定された期間が過ぎた場合に、油圧ショベル１００の暗証番号は、メーカー出荷時にあらかじめ決められた初期値に設定される。
【０００７】
図１において、油圧ショベル１００は、油圧ショベル１００を駆動するエンジン２と、エンジン２を始動するスタータモータ３と、スタータモータ３の作動電源を入切するスタータリレー７と、エンジンキースイッチ６と、エンジンキースイッチ６の操作によりバッテリー４からの電源を入切するキースイッチスタータリレー５と、メインコントロールユニット１０とを有している。スタータリレー７は、エンジン２のスタータモータ３とエンジンキースイッチスタータリレー５との間に介装されている。スタータリレー７がオンのときにはキースイッチ６の操作に伴ってエンジンキースイッチスタータリレー５がオンになると、スタータモータ３が駆動され、エンジン２が始動する。一方、スタータリレー７がオフのときには、エンジンキースイッチ６を操作してもスタータモータ３に通電されず、エンジン２は始動されない。エンジン２は、図示しない油圧ポンプを駆動し、このポンプ吐出油をコントロールバルブで制御することにより、各種アクチュエータを駆動して掘削作業や走行、旋回などを行う。
【０００８】
メインコントロールユニット１０は、暗証番号の入力や機能選択などの入力を行う入力部３０と、現在の日時を計測する時間計測部１２と、暗証番号の有効期間を格納する有効期間記憶部１３とを備えている。また、メインコントロールユニット１０は、あらかじめ決められて、一定の条件下で特定の者のみが変更できる暗証番号（ユーザーが変更できない暗証番号）を格納する暗証番号初期値記憶部１４と、後述の条件下でユーザーが変更可能な暗証番号を格納する暗証番号記憶部１５とを備えている。さらに、メインコントロールユニット１０は、解除信号出力部１６と、暗証番号記憶部１５に格納されている暗証番号を暗証番号初期値記憶部１４に格納されている暗証番号に一定の条件下で変更する変更部１７と、通信部１８とを備えている。メインコントロールユニット１０は、入力部３０から入力された暗証番号と暗証番号記憶部１５で記憶している暗証番号とを解除信号出力部１６で比較照合し、照合結果に応じて信号を出力してスタータリレー７のオン・オフを切換える。すなわち、入力部３０から入力された暗証番号が、暗証番号記憶部１５で記憶している暗証番号と一致した場合のみ、スタータリレー７をオンとする。このときエンジンキースイッチ６を操作するとスタータモータ３が駆動され、エンジン２が始動される。
【０００９】
図２は、入力部３０の一例を示す図である。入力部３０は、暗証番号の入力や機能選択などの入力を行うテンキースイッチ３１と、入力内容を表示する表示部３２と、スタータリレー７のオン・オフを示す表示灯３３とを備えている。エンジンキースイッチ６がオンになり、暗証番号の入力待ちの状態では、図２に示すように、表示部３２は「ＩＮＰＵＴ」の文字を表示し、表示灯３３は、鍵がかかった状態を示すイラストの横にある表示灯３３１が点灯している。テンキースイッチ３１が押圧されることにより暗証番号が入力されると、表示部３２に表示されていた「ＩＮＰＵＴ」の文字は消え、入力された暗証番号の桁数に応じて「＊」マークが表示される。たとえば５桁の暗証番号が入力されると、表示部３２には「＊＊＊＊＊」が表示される。入力された暗証番号が解除信号出力部１６で比較照合され、暗証番号記憶部１５に格納している暗証番号と一致すると、表示灯３３１が消灯し、鍵が外れた状態を示すイラストの横にある表示灯３３２が点灯する。番号変更ボタン３１１が押圧されると、暗証番号変更モード移行のコマンドが解除信号出力部１６へ出力されて、後述するように、暗証番号の変更が可能となる。また、特定の操作（後述する）とともに期間セットボタン３１２が押圧されると、有効期間設定モード移行のコマンドが解除信号出力部１６へ出力されて、後述するように、有効期間の設定が可能となる。
【００１０】
暗証番号の初期値は、メーカー出荷時に入力部３０から入力されて、暗証番号初期値記憶部１４に格納される。この暗証番号の初期値は、メーカーでなければ変更できない。この暗証番号の初期値は、油圧ショベル１００を所有して管理している会社など、たとえば、油圧ショベル１００を購入したユーザーの所属する会社や、建設機械のレンタル会社（業者）など、油圧ショベル１００を所有する会社（以下、ユーザー会社と呼ぶ）の建設機械管理責任者が管理する番号である。
【００１１】
図１において、管理センタ２００は、ユーザー会社に設けられる。管理センタ２００にはサーバコンピュータ２０１が設けられている。サーバコンピュータ２０１は、通信回線網３００を経由して、油圧ショベル１００のメインコントロールユニット１０に設けられた通信部１８を介して油圧ショベル１００とデータの送受信を行うことができる。
【００１２】
油圧ショベル１００には、油圧ショベル毎に割り当てられて、それぞれの油圧ショベルを識別するＩＤ番号が付与されている。このＩＤ番号は、後述するようにサーバコンピュータ２０１と油圧ショベル１００との間でデータの送受信を行う際に、それぞれの油圧ショベルを識別する番号として利用される。
【００１３】
本実施の形態による盗難防止装置における、暗証番号による油圧ショベル１００の始動処理および暗証番号変更・有効期間設定処理を図３に示したフローチャートを参照して説明する。この処理は、メインコントロールユニット１０の解除信号出力部１６で実行されるプログラムにより行われる。エンジンキースイッチ６がオンされるとこのプログラムが起動され、ステップＳ１０１で入力部３０から暗証番号が入力されるまで待機する。暗証番号が入力されたと判断されるとステップＳ１０３へ進み、入力された番号が暗証番号記憶部１５に記憶している暗証番号と一致するか否かを判断する。ステップＳ１０３が肯定判断されるとステップＳ１０５へ進み、スタータリレー７をオンさせる信号、すなわち車両の運転を許可する信号を出力してステップＳ１０９へ進む。ステップＳ１０３が否定判断されるとステップＳ１０７へ進み、スタータリレー７をオンさせる信号を出力せずに、すなわちスタータリレー７をオフのままステップＳ１０１へ戻る。
【００１４】
ステップＳ１０９では、入力部３０から暗証番号変更モード移行のコマンド入力があるか否かを判断する。ステップＳ１０９が否定判断されるとステップＳ１１５へ進む。ステップＳ１０９が肯定判断されるとステップＳ１１１へ進み、暗証番号変更モードへ移行して、入力部３０から新しい暗証番号の入力があるまで待機する。入力部３０から新しい暗証番号の入力があると判断されるとステップＳ１１３へ進み、暗証番号記憶部１５に格納されている暗証番号をステップＳ１１１で入力された暗証番号で更新してステップＳ１１５へ進む。
【００１５】
ステップＳ１１５では、入力部３０から有効期間設定モード移行のコマンド入力があるか否かを判断する。上述したように、特定の操作とともに期間セットボタン３１２が押圧されると、有効期間設定モード移行のコマンドは、解除信号出力部１６へ出力される。特定の操作とは、複数スイッチの組み合わせ操作など、通常のスイッチ操作において行うことのない操作であり、ユーザー会社の建設機械管理責任者など、特定の人間のみが知っている操作である。ステップＳ１１５が否定判断されるとステップＳ１２１へ進む。ステップＳ１１５が肯定判断されるとステップＳ１１７へ進み、有効期間設定モードへ移行して、入力部３０から有効期間の入力があるまで待機する。入力部３０から有効期間の入力があると判断されるとステップＳ１１９へ進み、有効期間記憶部１３に格納されている有効期間をステップＳ１１７で入力された有効期間で更新する。ステップＳ１２１では、エンジンキースイッチ６がオフか否かを判断する。ステップＳ１２１が否定判断されるとステップＳ１０９へ戻る。ステップＳ１２１が肯定判断されると処理を終了する。
【００１６】
上述の処理により、ユーザーが入力部３０に正しい暗証番号を入力するとスタータリレー７がオンになり、油圧ショベル１００のエンジン２を始動可能にする。この状態から入力部３０の番号変更ボタン３１１が押圧されると、暗証番号変更モードへ移行して、暗証番号の変更が可能となる。さらに、特定の操作とともに入力部３０の期間セットボタン３１２が押圧されると、有効期間設定モードへ移行して、有効期間の設定が可能となる。
【００１７】
暗証番号はユーザー（オペレータ）にて変更可能なので、ユーザーにとって都合のよい番号に設定することができる。しかし、レンタル機のように借り手のユーザーが暗証番号を変更したままレンタル業者に返却した場合などには、変更されている暗証番号が分からず、レンタル業者は油圧ショベル１００を動かせなくなるおそれがある。この様な場合、何らかの方法で、変更された暗証番号があらかじめ設定された暗証番号（以下、初期値と呼ぶ）に戻るようにしておけば、上述の心配はなくなる。本実施の形態では、一定期間経過後、もしくはサーバコンピュータ２０１から送信される暗証番号初期化コマンドの受信により、暗証番号を初期値に変更（以下、初期化と呼ぶ）する。
【００１８】
管理センタ２００のサーバコンピュータ２０１から暗証番号初期化コマンドを油圧ショベル１００に送信するには、油圧ショベル１００を所有・管理しているユーザー会社の管理責任者がサーバコンピュータ２０１に油圧ショベル１００のＩＤ番号を入力する必要がある。図４は、管理センタ２００に設けられたサーバコンピュータ２０１の動作を示すフローチャートである。ステップＳ２０１で、ＩＤ番号の入力があるか否かを判断する。ステップＳ２０１が肯定判断されると、ステップＳ２０３へ進み、ＩＤ番号と暗証番号初期化コマンドとを、通信回線網３００を介して油圧ショベル１００に送信し、処理を終了する。ステップＳ２０１が否定判断されると、処理を終了する。
【００１９】
図５は油圧ショベル１００のメインコントロールユニット１０における暗証番号初期化処理を示している。この処理は、メインコントロールユニット１０の変更部１７で実行されるプログラムにより行われる。メインコントロールユニット１０にバッテリー４からの電源が供給されると、このプログラムが起動される。ステップＳ１５１において、時間計測部１２で計測された経過時間と有効期間記憶部１３に記憶されている有効期間とを比較する。ステップＳ１５１において、経過時間は有効期間内であると判断されると、ステップＳ１５３へ進む。ステップＳ１５３では、サーバコンピュータ２０１からの信号を受信したか否かを判断する。ステップＳ１５３が肯定判断されるとステップＳ１５５へ進み、油圧ショベル１００のＩＤ番号と受信した信号に含まれるＩＤ番号が一致しているか否かを判断する。ステップＳ１５５が肯定判断されるとステップＳ１５７へ進み、受信した信号に暗証番号の初期化信号が含まれているか否かを判断する。ステップＳ１５７が肯定判断されると、ステップＳ１５９へ進み、暗証番号記憶部１５に格納されている暗証番号を、暗証番号初期値記憶部１４に格納されている初期値に置き換えて、すなわち暗証番号を初期化して、一連の動作を終了する。
【００２０】
ステップＳ１５１において、経過時間は有効期間を過ぎていると判断されると、ステップＳ１５９へ進む。ステップＳ１５３、ステップＳ１５５、またはステップＳ１５７において否定判断されると、それぞれステップＳ１５１へ戻る。
【００２１】
上述の処理により、油圧ショベル１００は、有効期間記憶部１３に記憶されている有効期間が経過した場合、またはサーバコンピュータ２０１からの暗証番号初期化コマンドを受信した場合、暗証番号記憶部１５に格納されている暗証番号を初期化する。
【００２２】
たとえば、本実施の形態の油圧ショベル１００をレンタル業者がユーザーにレンタルする場合の運用方法は、次のとおりである。
（１）　レンタルの依頼を受けたレンタル業者は、入力部３０からレンタル期間に相当する期間を有効期間記憶部１３へ入力し、借り手の希望する暗証番号を暗証番号記憶部１５へ入力した後、油圧ショベル１００を貸し出す。
（２）　貸し出した油圧ショベル１００がレンタル期間を過ぎて戻ってきた場合、上述した油圧ショベル１００のメインコントロールユニット１０における暗証番号初期化処理によって、暗証番号は初期化されている。レンタル業者は、あらかじめ定められた初期値を入力部３０に入力すれば、油圧ショベル１００を始動できる。
（３）　貸し出した油圧ショベル１００がレンタル期間満了前に戻ってきた場合、センタサーバ２０１から油圧ショベル１００に暗証番号初期化コマンドを送信することで、暗証番号が初期化される。よって、レンタル業者は、あらかじめ定められた初期値を入力部３０に入力すれば、油圧ショベル１００を始動できる。
【００２３】
これにより、油圧ショベル１００のレンタル業者は、レンタル期間満了後に戻ってきた油圧ショベル１００を、特別な操作をすることなく初期値の暗証番号で始動できる。レンタル期間満了前に戻ってきた油圧ショベル１００は、サーバコンピュータ２０１から初期化信号を送信するだけで、初期値の暗証番号で始動することができる。
【００２４】
上述した、第１の実施の形態による盗難防止装置では、ユーザーが入力部３０に正しい暗証番号を入力すると、油圧ショベル１００のエンジン２が始動可能になる。この状態から入力部３０の番号変更ボタン３１１が押圧されると、暗証番号変更モードへ移行して、暗証番号の変更が可能となる。さらに、特定の操作とともに入力部３０の期間セットボタン３１２が押圧されると、有効期間設定モードへ移行して、有効期間の設定が可能となる。有効期間記憶部１３に記憶されている有効期間が経過した場合、またはサーバコンピュータ２０１からの暗証番号初期化コマンドを受信した場合、暗証番号記憶部１５に格納されている暗証番号は初期化される。
【００２５】
上述した第１の実施の形態による盗難防止装置では、次の作用効果を奏する。
（１）　油圧ショベル１００に記憶されている暗証番号は、一定の期間経過後、もしくはサーバコンピュータ２０１からの信号により初期化される。よって、暗証番号が第３者により変更されて不明となった場合でも、暗証番号解読のために特殊な装置を接続する必要はなく、油圧ショベル１００のサービス会社、メーカー担当者などがわざわざ油圧ショベル１００のもとに行かなくても、迅速に油圧ショベル１００の始動ができる。
（２）　万が一、貸出先で油圧ショベル１００が盗まれても、サーバコンピュータ２０１からの信号により暗証番号を初期化できるので、盗人による油圧ショベル１００の始動を阻止することができるので、セキュリティ性が高い。
【００２６】
―――第２の実施形態―――
図６，７により、本発明の第２の実施の形態による盗難防止装置を説明する。本実施の形態による盗難防止装置では、上述した第１の実施形態の油圧ショベル１００に非接触ＩＤタグを設け、建設機械プールに非接触ＩＤタグ受信機を設けている。油圧ショベル１００が建設機械プールに戻ってくると、建設機械プールの非接触ＩＤタグ受信機は、油圧ショベル１００の非接触ＩＤタグの信号を読みとり、サーバコンピュータ２０１へ暗証番号初期化信号の送信を指示する。本実施の形態の油圧ショベル１００は、後述する非接触ＩＤタグ２０を除き、第１の実施の形態と同一であるので、詳細な説明を省略する。図３に示した油圧ショベル１００の始動処理および暗証番号変更・有効期間設定処理、図４に示したサーバコンピュータ２０１の暗証番号初期化コマンド送信処理、図５に示した暗証番号初期化処理は、第１の実施の形態と同一であるので、相違点を主に説明する。
【００２７】
図６は、ユーザー会社の建設機械プールに設けた非接触ＩＤタグ受信機２５０と管理センタ２００について示した図である。非接触ＩＤタグ受信機２５０は、たとえばレンタル業者の建設機械プール入口に設けられており、回線を介してレンタル業者が設置した管理センタ２００のサーバコンピュータ２０１に接続されている。油圧ショベル１００には非接触ＩＤタグ２０が備えられている。この非接触ＩＤタグ２０は、ＩＤ番号を変調した微弱な電波を発している。非接触ＩＤタグ受信機２５０は、非接触ＩＤタグ２０の発する電波を復調してＩＤ番号を得ることができる。非接触ＩＤタグ受信機２５０は、復調して得られたＩＤ番号をサーバコンピュータ２０１に送信する。
【００２８】
サーバコンピュータ２０１は、非接触ＩＤタグ受信機２５０から送信されたＩＤ番号を受信すると、通信回線網３００を介して、受信したＩＤ番号とともに暗証番号初期化コマンドを送信する。ＩＤ番号とともに暗証番号初期化コマンドを受信した油圧ショベル１００は、上述した図５のフローチャートに示した暗証番号初期化処理を実行し、暗証番号を初期化する。
【００２９】
図７は、本実施の形態のサーバコンピュータ２０１の動作を示すフローチャートである。ステップＳ２１１で、非接触ＩＤタグ受信機２５０から送信されたＩＤ番号を受信したか否かを判断する。ステップＳ２１１が否定判断されると、ステップＳ２１２へ進み、サーバコンピュータ２０１にＩＤ番号が直接入力されたか否かを判断する。ステップＳ２１２が否定判断されるとステップＳ２１１へ戻る。
【００３０】
ステップＳ２１１またはステップＳ２１２が肯定判断されると、ステップＳ２１３へ進む。ステップＳ２１３において、ＩＤ番号と暗証番号初期化コマンドとを、通信回線網３００を介して油圧ショベル１００に送信し、一連の動作を終了する。
【００３１】
上述の処理により、非接触ＩＤタグ受信機２５０が設けられている場所に油圧ショベル１００が戻ると、油圧ショベル１００に設けられた非接触ＩＤタグ２０の発するＩＤ番号が非接触ＩＤタグ受信機２５０で受信される。非接触ＩＤタグ受信機２５０は、受信した油圧ショベル１００のＩＤ番号をサーバコンピュータ２０１に送信する。非接触ＩＤタグ受信機２５０から送信されたＩＤ番号を受信したサーバコンピュータ２０１は、受信したＩＤ番号とともに暗証番号初期化コマンドを送信する。ＩＤ番号とともに暗証番号初期化コマンドを受信した油圧ショベル１００は、暗証番号が初期化されるので、初期値の暗証番号で始動可能になる。また、非接触ＩＤタグ受信機２５０で非接触ＩＤタグ２０の発するＩＤ番号を受信しなくても、サーバコンピュータ２０１に直接ＩＤ番号を入力することによっても油圧ショベル１００の暗証番号を初期化できる。
【００３２】
上述した第２の実施の形態では、第１の実施形態の作用効果に加え、次の作用効果を奏する。
（１）　たとえば、建設機械のレンタル業者が本実施の形態の油圧ショベル１００を使用する場合、非接触ＩＤタグ受信機２５０をレンタル業者が管理する建設機械プール入口に設置する。油圧ショベル１００をレンタルした後、油圧ショベル１００が戻ってきて建設機械プール入口を通過すると、非接触ＩＤタグ受信機２５０は、油圧ショベル１００の非接触ＩＤタグ２０の発する信号を受信する。この後、油圧ショベル１００の暗証番号は、上述したようにあらかじめ定められた初期値に設定されるので、特に操作等を行わなくても、レンタル業者は戻ってきた油圧ショベル１００を初期値の暗証番号にて始動できる。
（２）　何らかの理由で油圧ショベル１００が建設機械プール入口を通過しなかった場合には、管理センタ２００のサーバコンピュータ２０１に直接ＩＤ番号を入力することによっても油圧ショベル１００の暗証番号を初期化できる。これにより、レンタル業者はショベル１００を初期値の暗証番号で始動ができる。
【００３３】
―――第３の実施形態―――
図８，９により、本発明の第３の実施の形態による盗難防止装置を説明する。本実施の形態による盗難防止装置では、正しい暗証番号の入力回数がある設定された回数を越えた場合、もしくは、管理責任者等が所持する携帯送信端末付エンジン作動キーからの信号により、暗証番号を初期化する。図８は本実施形態における全体構成図である。本実施形態の油圧ショベル１００は、後述するメインコントロールユニット１０ａの構成および作動キー４０を除き、第１の実施の形態と同一であるので、詳細な説明を省略する。図３に示した油圧ショベル１００の始動処理および暗証番号変更・有効期間設定処理は、第１の実施の形態と同一であるので、詳細な説明を省略する。
【００３４】
図８に示すように、メインコントロールユニット１０ａは、暗証番号の入力回数をカウントする入力回数検出部２５と、制限値記憶部２６とを有している。エンジンキースイッチ６の作動キー４０には送信機４１が設けられている。送信機４１には、油圧ショベル毎に割り当てられて、それぞれの油圧ショベルを識別するＩＤ番号が記憶されており、送信機４１の押しボタン４２が押圧されると、ＩＤ番号を含む信号を送信する。
【００３５】
図９は、油圧ショベル１００のメインコントロールユニット１０ａにおける暗証番号初期化処理を示している。この処理は、メインコントロールユニット１０ａの変更部１７で実行されるプログラムにより行われる。メインコントロールユニット１０ａにバッテリー４からの電源が供給されると、このプログラムが起動される。ステップＳ２５１において、入力回数検出部２５でカウントされた正しい暗証番号の入力回数と制限値記憶部２６に記憶されている制限回数とを比較する。ステップＳ２５１において、正しい暗証番号の入力回数が制限回数内であると判断されると、ステップＳ２５３へ進み、送信機４１からＩＤ番号を含む信号を受信したか否かを判断する。ステップＳ２５３が肯定判断されるとステップＳ２５５へ進み、油圧ショベル１００の識別ＩＤと受信した信号に含まれる識別ＩＤが一致しているか否かを判断する。ステップＳ２５５が肯定判断されるとステップＳ２５９へ進み、暗証番号記憶部１５に格納されている暗証番号を、暗証番号初期値記憶部１４に格納されている初期値に置き換えて、すなわち暗証番号を初期化して、一連の動作を終了する。
【００３６】
ステップＳ２５１において、正しい暗証番号の入力回数が制限回数を越していると判断されると、ステップＳ２５９へ進む。ステップＳ２５３またはステップＳ２５５において否定判断されると、暗証番号の初期化は不要として処理を終了する。
【００３７】
上述の処理により、油圧ショベル１００は、正しい暗証番号の入力回数が制限値記憶部２６に記憶されている制限回数を越えた場合、または送信機４１から送信されたＩＤ番号を含む信号を通信部１８で受信した場合、暗証番号記憶部１５に格納されている暗証番号を初期化する。
【００３８】
たとえば、本実施の形態の油圧ショベル１００をレンタル業者がユーザーにレンタルする場合の運用方法は、次のとおりである。
（１）　レンタルの依頼を受けたレンタル業者は、レンタル期間中に借り手であるユーザーが油圧ショベル１００のエンジン２を始動する回数の推定値より多い回数を、入力部３０から制限値記憶部２６へ入力し、借り手の希望する暗証番号を暗証番号記憶部１５へ入力した後、送信機４１の付いていない作動キーとともに油圧ショベル１００を貸し出す。
（２）　貸し出した油圧ショベル１００がレンタル業者に戻ってきた場合、レンタル業者が管理している送信機４１のついた作動キー４０によりエンジンキースイッチ６をオンにして、送信機４１からＩＤ番号を含む信号を送信する。送信機４１から信号を受信した油圧ショベル１００は、上述した暗証番号初期化処理によって、暗証番号を初期化する。よって、レンタル業者は、あらかじめ定められた初期値を入力部３０に入力すれば、油圧ショベル１００の始動ができる。
【００３９】
上述した第３の実施の形態では、次の作用効果を奏する。
（１）　油圧ショベル１００を所有・管理している会社などの管理責任者は、管理責任者が所有する送信機４１のついた作動キー４０を用いて暗証番号を初期化できる。他の設備や特殊な操作などは不要であるので、簡便でコストも低い。
（２）　万が一、油圧ショベルの貸出先で盗人が正しい暗証番号を入手し、油圧ショベル１００を盗んでも、正しい暗証番号の入力回数が制限回数を超えると暗証番号が初期化されるので、盗人による油圧ショベル１００の始動を阻止することができ、セキュリティ性が高い。
【００４０】
―――変形例―――
暗証番号は数字の例で説明を行ったが、文字、記号のいずれであってもよいし、それらの組合せでもよく、ＩＤ番号やパスワードなど、始動が許可された者が識別可能なものであればよい。さらに車載の通信装置に代えて、携帯電話や携帯情報端末（ＰＤＡ）、モバイル式のパーソナルコンピュータを用いてもよい。またサーバコンピュータ２０１が設置される管理センタ２００は、建設機械のレンタル業者や建設機械を所有する会社に限定されず、建設機械メーカーに設置されてもよい。管理センタ２００が建設機械メーカーに設置された場合、オペレータから連絡を受けた建設機械メーカーの管理責任者がサーバコンピュータに油圧ショベルのＩＤ番号を入力すればよい。
【００４１】
上述の第３の実施形態において、暗証番号の誤入力が連続してある回数を超えたら暗証番号を初期化するようにしてもよい。この場合には、管理責任者が適当な番号を数回入力して暗証番号を初期化した後、初期値を入力して油圧ショベル１００を始動できる。
【００４２】
暗証番号が一致しない場合にスタータリレー７をオンしないことでエンジン２の始動を禁止する例を示したが、例えば特許第３２３３５７３号公報に記載されているように、パイロット油圧回路を遮断することで油圧ショベル１００が走行できないようにしてもよい。具体的には、パイロット油圧ポンプの吐出回路に切換弁（例えば、電磁弁）を設け、正しい暗証番号が入力された場合には切換弁を連通位置に設定し、それ以外の場合には切換弁を遮断位置に切換えるようにすればよい。切換弁が遮断位置にあるときには、各操作部材を操作しても走行用油圧モータを始めとして各アタッチメントや旋回用のアクチュエータが駆動されないので、これによっても盗難防止が図れる。
【００４３】
各実施の形態および変形例に記載したそれぞれの暗証番号初期化方法を個別に用いてもよく、組み合わせてもよい。上述の各実施の形態および変形例では、建設機械として油圧ショベルを用いて説明したが、これに限らない。また、建設機械に限らない。レンタカーなどのようにユーザーに貸し出す車両など、各種移動体にも本発明を適用できる。さらに、本発明の特徴的な機能を損なわない限り、本発明は、上述した実施の形態に何ら限定されない。
【００４４】
以上の各実施の形態およびその変形例において、記憶手段は有効期間記憶部１３に、変更手段は変更部１７に、入力手段は入力部３０に、比較出力手段は解除信号出力部１６に、有効期間記憶手段は有効期間記憶部１３に、日時計測手段は時間計測部１２にそれぞれ対応する。送信手段は非接触ＩＤタグ２０に、スタータキーは作動キー４０に、受信部は通信部１８に、受信機は非接触ＩＤタグ受信機２５０にそれぞれ対応する。初期化手段は、暗証番号初期値記憶部１４と変更部１７により構成される。
【００４５】
【発明の効果】
本発明によれば、第三者が暗証番号を変更してしまっても、盗難防止装置の暗証番号をあらかじめ定められている初期値に変更することができるので、この初期値を入力手段から入力することで車両の運転が可能になる。
【図面の簡単な説明】
【図１】本発明を油圧ショベルに適用した、第１の実施の形態における全体構成図である。
【図２】図１の入力部３０を示す図である。
【図３】第１の実施形態の油圧ショベル１００の始動処理および暗証番号変更・有効期間設定処理を示したフローチャートである。
【図４】第１の実施形態の管理センタ２００に設けられたサーバコンピュータ２０１の動作を示すフローチャートである。
【図５】第１の実施形態の油圧ショベル１００のメインコントロールユニット１０における暗証番号初期化処理を示すフローチャートである。
【図６】本発明を油圧ショベルに適用した、第２の実施の形態におけるユーザー会社の建設機械プールに設けた非接触ＩＤタグ受信機２５０と管理センタ２００について示した図である。
【図７】第２の実施形態の管理センタ２００に設けられたサーバコンピュータ２０１の動作を示すフローチャートである。
【図８】本発明を油圧ショベルに適用した、第３の実施の形態における全体構成図である。
【図９】第３の実施形態の油圧ショベル１００のメインコントロールユニット１０ａにおける暗証番号初期化処理を示すフローチャートである。
【符号の説明】
２　エンジン　　　　　　　　　　　　　３　スタータモータ
５　キースイッチスタータリレー　　　　６　エンジンキースイッチ
７　スタータリレー　　　　　１０，１０ａ　メインコントロールユニット
１２　時間計測部　　　　　　　　　　　１３　有効期間記憶部
１４　暗証番号初期値記憶部　　　　　　１５　暗証番号記憶部
１６　解除信号出力部　　　　　　　　　１７　変更部
１８　通信部　　　　　　　　　　　　　２０　非接触ＩＤタグ
２５　入力回数検出部　　　　　　　　　２６　制限値記憶部
３０　入力部　　　　　　　　　　　　　４０　作動キー
４１　送信機　　　　　　　　　　　　　４２　押しボタン
２００　管理センタ　　　　　　　　　　２０１　センタサーバ
２５０　非接触ＩＤタグ受信機　　　　　３００　通信回線網
【図１】
2004076644.tif 000003
【図２】
2004076644.tif 000004
【図３】
2004076644.tif 000005
【図４】
2004076644.tif 000006
【図５】
2004076644.tif 000007
【図６】
2004076644.tif 000008
【図７】
2004076644.tif 000009
【図８】
2004076644.tif 000010
【図９】
2004076644.tif 000011